(57)【要約】【課題】  チャンネル切り替え時にもデータ放送のデータ、及び、映像の放送サービスの表示が途切れることなく速やかになされ、且つ、簡素な構成のデジタル放送受信装置を提供する。【解決手段】  チャンネル切り替え操作時点以降はその直前の時点まで第一乃至第ｎの選局部１０１，…，（１００＋ｎ）の出力であるデータ放送の情報を一時記憶装置２１０に蓄積しておいたもののうち、当該切り替わり後の放送チャンネルに該当する情報を一時記憶管理部２００の管理下で出力させて、見掛け上は、切り替わり後のデータ放送サービスがブランク期間を挟むことなく速やかに提供され得るようにする。【選択図】  図１
2006262091.tif 000002
【特許請求の範囲】
【請求項１】
供給されたＲＦ信号に関するデジタル放送の選局処理を各別に異なる選局を行うようにして同時並行に夫々実行し該選局処理によって得たＴＳを夫々出力するようになされた複数の選局部と、前記複数の選局部からの各ＴＳ出力から夫々データ放送コンテンツ情報部分を分離し該分離されたデータ放送コンテンツ情報部分と各対応する元のＴＳとを所定の一時記憶装置に各該当するチャンネル別に格納する一時記憶管理部と、前記複数の各選局部の動作を管理すると共に前記一時記憶管理部を介して前記一時記憶装置にアクセスし所要の当該データ放送コンテンツ情報乃至元のＴＳを読み出す選局制御部と、備えたことを特徴とするデジタル放送受信装置。
【請求項２】
前記選局制御部は、当該デジタル放送受信装置のユーザによる操作を受け付ける操作部からの操作信号が供給されるようになされ、該操作信号に対応した操作を認識しこの認識に応じた指令を前記選局部及び前記一時記憶管理部に向けて発するように構成されていることを特徴とする請求項１に記載のデジタル放送受信装置。
【請求項３】
前記一時記憶管理部は、前記選局制御部の管理下で、前記複数の選局部からの各ＴＳ出力から夫々データ放送コンテンツ情報部分を分離し該分離されたデータ放送コンテンツ情報部分と各対応する元のＴＳとを所定の一時記憶装置に各該当するチャンネル別に格納するように構成されていることを特徴とする請求項１に記載のデジタル放送受信装置。
【請求項４】
前記一時記憶管理部は、前記選局制御部の管理下で、前記一時記憶装置に各該当するチャンネル別に格納されている各ＴＳのデータ放送コンテンツ情報部分のデータブロックを選択的に読み出すように構成されていることを特徴とする請求項１に記載のデジタル放送受信装置。
【請求項５】
前記選局制御部は、当該デジタル放送受信装置のユーザによる操作を受け付ける操作部からの放送チャンネル切り替え操作信号が供給されるようになされ、該放送チャンネル切り替え操作信号に対応した放送チャンネル切り替え操作を認識しこの認識に応じた切り替え指令を前記選局部及び前記一時記憶管理部に向けて発するように構成され、前記一時記憶管理部は前記選局制御部からの切り替え指令に応答して、当該放送チャンネル切り替え操作によって新たに選択された放送チャンネルに係るＴＳのデータ放送コンテンツ情報部分のデータブロックを前記一時記憶装置から読み出すように構成されていることを特徴とする請求項１に記載のデジタル放送受信装置。
【請求項６】
前記複数の選局部のうちの所定の一の選局部の選局処理によって得た一のＴＳが直接的に供給され且つ前記複数の選局部のうちの他の選局部の選局処理によって得た他のＴＳが前記一時記憶管理部の管理下で前記一時記憶装置に一時的に記憶されていたものが選択的に読み出されて間接的に供給されるようになされ、当該一の選局部の出力として直接的に供給されたＴＳ又は当該間接的に供給されたＴＳを選択的に出力する出力選択部が更に設けられていることを特徴とする請求項１に記載のデジタル放送受信装置。
【請求項７】
前記出力選択部は、前記一の選局部の出力である一のＴＳが継続的に得られているときには当該一のＴＳを選択して自己の出力とし、前記一の選局部の出力である一のＴＳの供給が途切れたときには当該間接的に供給されているＴＳを選択的に出力するように構成されていることを特徴とする請求項６に記載のデジタル放送受信装置。
【請求項８】
前記選局制御部は、放送チャンネルを巡回的に切り替え選択する選択スケジュールが設定されるように構成され、且つ、当該設定された選択スケジュールに沿って前記複数の選局部のうちの前記他の各選局部から巡回的に切り替え選択して各異なる放送チャンネルのコンテンツを前記一時記憶管理部の管理下で前記一時記憶装置に記憶させるように構成されていることを特徴とする請求項６に記載のデジタル放送受信装置。
【発明の詳細な説明】
【技術分野】
【０００１】
本発明は、例えばデジタルテレビ受像機のようなデジタル放送受信装置に関し、より詳細には、選局操作後速やかにデジタル放送コンテンツやデータ放送コンテンツが映出されるようにしたデジタル放送受信装置に関する。
【背景技術】
【０００２】
近年、地上波、衛星、ケーブルによるデジタル放送が開始されているが、デジタル放送では、選局部でデジタル放送信号処理に特有のデインタリーブ処理などで、選局に時間がかかるため正規の表示が得られるまでには相応の時間待機しなくてはならない。
このような待機の時間を短縮するための技術も提案されている。一つの提案では、ＲＦ信号を入力としてチャンネルを選局し前記チャンネルのＴＳ（トランスポートストリーム）を出力する各々は異なるチャンネルを選局する複数の選局部と、複数の前記選局部の各々の出力の一つを選択してＴＳ出力する選択部と、各々の前記選局部が選局する選局情報と受信可能な局情報を格納する選局記憶部と、受信者入力からの操作情報を入力として前記選局記憶部と複数の前記選局部と前記選択部を制御する選局制御部を具備してデジタル放送選局装置を構成する。
【０００３】
この構成において、スイッチオンされると、受信可能な全チャンネルを各々の選局部で、選局する。受信可能なチャンネルは、選局記憶部に設定した受信可能な局情報を参照するか、受信可能な局情報が設定されていなければ、データ放送から情報を取得し、受信可能フラグを設定する。各選局部が選局するチャンネル番号とその選局部の対応情報を選局記憶部の所定領域に設定する。選局に関する操作情報が入力されると、選局記憶部のチャンネル番号とその選局部の対応情報を参照し、選択部でそのチャンネルを選択している選局部の出力を選択するというものである（特許文献１参照）。
【特許文献１】特開２００４−３１２５０４号公報（段落０００９、段落００２０−００２１、図１）
【発明の開示】
【発明が解決しようとする課題】
【０００４】
上述した特許文献１におけるような技術では、映像や音声に関しては、チャンネル切替後に該当するコンテンツが映出されるまでの時間を短縮できるが、データ放送に関しては、コンテンツが蓄積されるまで、数分の待機時間を必要とする。また、複数の選局部を備えるが、この数が選択の対象として予定される放送チャンネルの数と同数用意できない場合は、選択したチャンネルによっては効果がない。
【０００５】
本発明は叙上のような状況に鑑みてなされたものであり、データ放送もチャンネル切替後速やかに映出され、ブランク期間が発生してしまうことがなく、且つ、選択の対象として予定される放送チャンネルの数に選局部の数が満たないような簡素な構成であってもチャンネル切替後に該当するコンテンツが速やかに映出され得るデジタル放送受信装置を提供することを目的としている。
【課題を解決するための手段】
【０００６】
上記課題を解決するべく、本願では次に列記するような技術を提案する。
（１）供給されたＲＦ信号に関するデジタル放送の選局処理を各別に異なる選局を行うようにして同時並行に夫々実行し該選局処理によって得たＴＳを夫々出力するようになされた複数の選局部と、前記複数の選局部からの各ＴＳ出力から夫々データ放送コンテンツ情報部分を分離し該分離されたデータ放送コンテンツ情報部分と各対応する元のＴＳとを所定の一時記憶装置に各該当するチャンネル別に格納する一時記憶管理部と、前記複数の各選局部の動作を管理すると共に前記一時記憶管理部を介して前記一時記憶装置にアクセスし所要の当該データ放送コンテンツ情報乃至元のＴＳを読み出す選局制御部と、備えたことを特徴とするデジタル放送受信装置。
【０００７】
上記（１）のデジタル放送受信装置では、複数の選局部によって、例えばアンテナ回路等から供給されたＲＦ信号に関するデジタル放送の選局処理を、各別に異なる選局を行うようにして同時並行に夫々実行し、該選局処理によって得たＴＳを夫々得る。一時記憶管理部により、これら複数の選局部で得た各ＴＳ出力から夫々データ放送コンテンツ情報部分を分離し該分離されたデータ放送コンテンツ情報部分と各対応する元のＴＳとを各該当するチャンネル別に所定の一時記憶装置に格納する。
【０００８】
選局制御部によって、複数の各選局部の動作を管理すると共に前記一時記憶管理部を介して一時記憶装置にアクセスし所要の当該データ放送コンテンツ情報乃至元のＴＳを読み出す。このようにして読み出されたデータ放送コンテンツ情報乃至元のＴＳに基づいてデジタル放送サービスが視聴者に提供される。
【０００９】
（２）前記選局制御部は、当該デジタル放送受信装置のユーザによる操作を受け付ける操作部からの操作信号が供給されるようになされ、該操作信号に対応した操作を認識しこの認識に応じた指令を前記選局部及び前記一時記憶管理部に向けて発するように構成されていることを特徴とする（１）に記載のデジタル放送受信装置。
【００１０】
上記（２）のデジタル放送受信装置では、上記（１）のデジタル放送受信装置による作用において特に、当該デジタル放送受信装置のユーザによる操作を受け付ける操作部からの操作信号が選局制御部に供給されたときには、選局制御部が該操作信号に対応した操作を認識しこの認識に応じた指令を前記選局部及び前記一時記憶管理部に向けて発する。このようにしてユーザ（視聴者）からの操作は選局制御部で認識されてこれに対応する動作が実行される。
【００１１】
（３）前記一時記憶管理部は、前記選局制御部の管理下で、前記複数の選局部からの各ＴＳ出力から夫々データ放送コンテンツ情報部分を分離し該分離されたデータ放送コンテンツ情報部分と各対応する元のＴＳとを所定の一時記憶装置に各該当するチャンネル別に格納するように構成されていることを特徴とする（１）に記載のデジタル放送受信装置。
【００１２】
上記（３）のデジタル放送受信装置では、上記（１）のデジタル放送受信装置による作用において特に、一時記憶管理部は、複数の選局部からの各ＴＳ出力から夫々データ放送コンテンツ情報部分を分離し該分離されたデータ放送コンテンツ情報部分と各対応する元のＴＳとを所定の一時記憶装置に格納する。この格納の制御は選局制御部が一時記憶管理部を管理して行われ、一時記憶装置への格納態様は、各該当するチャンネル別に、データ放送コンテンツ情報部分と各対応する元のＴＳとを格納するという形で行われる。各ＴＳ出力から分離した各データ放送コンテンツ情報部分と、これに各対応する元のＴＳとが一時記憶されて、機に応じて次の利用に供され得る準備状態が整う。
【００１３】
（４）前記一時記憶管理部は、前記選局制御部の管理下で、前記一時記憶装置に各該当するチャンネル別に格納されている各ＴＳのデータ放送コンテンツ情報部分のデータブロックを選択的に読み出すように構成されていることを特徴とする（１）に記載のデジタル放送受信装置。
【００１４】
上記（４）のデジタル放送受信装置では、上記（１）のデジタル放送受信装置による作用において特に、選局制御部が、例えば、ユーザによる放送チャンネル切り替え操作に応答して、一時記憶管理部を介して一時記憶装置に各該当するチャンネル別に格納されている各ＴＳのデータ放送コンテンツ情報部分のデータブロックを選択的に読み出す。該読み出したデータに基づいてユーザに対する速やかなサービスの提供を行い得る。
【００１５】
（５）前記選局制御部は、当該デジタル放送受信装置のユーザによる操作を受け付ける操作部からの放送チャンネル切り替え操作信号が供給されるようになされ、該放送チャンネル切り替え操作信号に対応した放送チャンネル切り替え操作を認識しこの認識に応じた切り替え指令を前記選局部及び前記一時記憶管理部に向けて発するように構成され、前記一時記憶管理部は前記選局制御部からの切り替え指令に応答して、当該放送チャンネル切り替え操作によって新たに選択された放送チャンネルに係るＴＳのデータ放送コンテンツ情報部分のデータブロックを前記一時記憶装置から読み出すように構成されていることを特徴とする（１）に記載のデジタル放送受信装置。
【００１６】
上記（５）のデジタル放送受信装置では、上記（１）のデジタル放送受信装置による作用において特に、ユーザによる操作を受け付ける操作部からの放送チャンネル切り替え操作信号が供給された選局制御部は当該放送チャンネル切り替え操作を認識しこの認識に応じた切り替え指令を前記選局部及び前記一時記憶管理部に向けて発する。この指令を受けて、一時記憶管理部は当該放送チャンネル切り替え操作によって新たに選択された放送チャンネルに係るＴＳのデータ放送コンテンツ情報部分のデータブロックを一時記憶装置から読み出す。このように一時記憶装置から読み出したＴＳのデータ放送コンテンツ情報部分のデータブロックに基づいてユーザに対する放送サービスが行われるため、当該放送チャンネル切り替え操作が行われると、待機時間を挟むことなく、速やかに放送サービスの提供が開始される。
【００１７】
（６）前記複数の選局部のうちの所定の一の選局部の選局処理によって得た一のＴＳが直接的に供給され且つ前記複数の選局部のうちの他の選局部の選局処理によって得た他のＴＳが前記一時記憶管理部の管理下で前記一時記憶装置に一時的に記憶されていたものが選択的に読み出されて間接的に供給されるようになされ、当該一の選局部の出力として直接的に供給されたＴＳ又は当該間接的に供給されたＴＳを選択的に出力する出力選択部が更に設けられていることを特徴とする（１）に記載のデジタル放送受信装置。
【００１８】
上記（６）のデジタル放送受信装置では、上記（１）のデジタル放送受信装置による作用において特に、所定の一の選局部の選局処理によって得た一のＴＳ又は他の選局部の選局処理によって得た他のＴＳであって当該一時記憶装置に一時的に記憶されてから間接的に供給された他のＴＳを、出力選択部が選択的に出力する。このようにして出力選択部から選択的に出力されるＴＳに基づいてユーザに対する放送サービスが行われるため、当該放送チャンネル切り替え操作が行われると、待機時間を挟むことなく、速やかに放送サービスの提供が開始される。
【００１９】
（７）前記出力選択部は、前記一の選局部の出力である一のＴＳが継続的に得られているときには当該一のＴＳを選択して自己の出力とし、前記一の選局部の出力である一のＴＳの供給が途切れたときには当該間接的に供給されているＴＳを選択的に出力するように構成されていることを特徴とする（６）に記載のデジタル放送受信装置。
【００２０】
上記（７）のデジタル放送受信装置では、上記（６）のデジタル放送受信装置による作用において特に、出力選択部は、所定の一の選局部の選局処理によって得た一のＴＳ又は他の選局部の選局処理によって得た他のＴＳであって当該一時記憶装置に一時的に記憶されてから間接的に供給された他のＴＳを、出力選択部が選択的に出力するについて、当該一のＴＳが継続的に得られているときには一のＴＳを選択して自己の出力とし、一のＴＳの供給が途切れたときには当該間接的に供給されている他のＴＳを選択的に出力する。
【００２１】
このため、当該放送チャンネル切り替え操作によって、一のＴＳの供給が途切れたときには、これに替えて他のＴＳが直ちに出力選択部から出力されるため、放送チャンネル切り替え操作時にも放送サービスの提供が途切れてしまうことがない。
【００２２】
（８）前記選局制御部は、放送チャンネルを巡回的に切り替え選択する選択スケジュールが設定されるように構成され、且つ、当該設定された選択スケジュールに沿って前記複数の選局部のうちの前記他の各選局部から巡回的に切り替え選択して各異なる放送チャンネルのコンテンツを前記一時記憶管理部の管理下で前記一時記憶装置に記憶させるように構成されていることを特徴とする（６）に記載のデジタル放送受信装置。
【００２３】
上記（８）のデジタル放送受信装置では、上記（６）のデジタル放送受信装置による作用において特に、選局制御部は、前記複数の選局部のうちの前記他の各選局部から巡回的に切り替え選択して各異なる放送チャンネルのコンテンツを前記一時記憶管理部の管理下で前記一時記憶装置に記憶させるが、上述のように放送チャンネルを巡回的に切り替え選択するための選択スケジュールが設定され得るように構成されている。
【００２４】
この選択スケジュールを適切に設定することによって、当該デジタル放送受信装置において設備された選局部の数が選択の対象として予定される放送チャンネルの数に満たない構成をとる場合であっても、このように放送チャンネルを巡回的に切り替えることによって、予定される放送チャンネルの全数に対応可能な装置が実現される。
【発明を実施するための最良の形態】
【００２５】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのデジタル放送受信装置の構成を表すブロック図である。本実施の形態のデジタル放送受信装置において、例えばアンテナ回路等からのＲＦ信号が各供給され、デジタル放送に関する選局処理を、各別に異なる選局を行うようにして同時並行に夫々実行するように、第一選局部１０１、第二選局部１０２、…、第ｎ選局部（１００＋ｎ）の複数ｎ個の選局部(代表符号１００）が設けられている。
【００２６】
該ｎ個の選局部１００による各個の選局処理によって夫々ＴＳ（トランスポートストリーム）を得る。これら複数の選局部１００（１０１，１０２，…，１００＋ｎ）で得た各ＴＳ出力が一時記憶管理部２００に供給されるようになされている。一時記憶管理部２００では、これら複数の選局部１００（１０１，１０２，…，１００＋ｎ）から供給される各ＴＳ出力から夫々データ放送コンテンツ情報部分を分離し該分離されたデータ放送コンテンツ情報部分と各対応する元のＴＳとを各該当するチャンネル別にハードディスク装置（ＨＤＤ）等の所定の一時記憶装置２１０に格納する。
【００２７】
複数の各選局部１０１，１０２，…，（１００＋ｎ）の動作を管理すると共に一時記憶管理部２００を介して一時記憶装置２１０にアクセスし所要の当該データ放送コンテンツ情報乃至元のＴＳを読み出す選局制御部３００が設けられている。選局制御部３００によってこのようにして読み出されたデータ放送コンテンツ情報乃至元のＴＳに基づいてデジタル放送サービスが視聴者に提供される。
【００２８】
選局制御部３００は、当該デジタル放送受信装置のユーザによる操作を受け付ける操作部４００からの操作信号が供給されるようになされ、この操作信号に対応した操作を認識し該認識に応じた指令を各選局部１０１，１０２，…，（１００＋ｎ）及び一時記憶管理部２００に向けて発するように構成されている。このようにしてユーザ（視聴者）からの操作は選局制御部３００で認識されてこれに対応する動作が実行される。尚、選局制御部３００にはタイマ３１０が附設されて、このタイマ３１０の出力に基づいて後述するタイムスケジュールに沿った制御動作が実行される。
【００２９】
既述のように、一時記憶管理部２００は、複数の選局部１０１，１０２，…，（１００＋ｎ）からの各ＴＳ出力から夫々データ放送コンテンツ情報部分を分離し該分離されたデータ放送コンテンツ情報部分と各対応する元のＴＳとを所定の一時記憶装置２１０に格納する。この格納の制御は選局制御部３００が一時記憶管理部２００を管理して行われ、一時記憶装置２１０への格納態様は、各該当するチャンネル別に、データ放送コンテンツ情報部分と各対応する元のＴＳとを格納するという形で行われる。
【００３０】
各ＴＳ出力から分離した各データ放送コンテンツ情報部分と、これに各対応する元のＴＳとが一時記憶されて、機に応じて次の利用に供され得る準備状態が整う。この状態で、選局制御部３００が、例えば、ユーザによる操作部４００からの放送チャンネル切り替え操作に応答して、一時記憶管理部２００を介して一時記憶装置２１０に各該当するチャンネル別に格納されている各ＴＳのデータ放送コンテンツ情報部分のデータブロックを選択的に読み出す。該読み出したデータに基づいてユーザに対する速やかなサービスの提供を行い得る。
【００３１】
放送チャンネル切り替え操作が行われた場合について更に詳述する。ユーザが操作部４００から放送チャンネル切り替え操作を行ったことに応答して、操作部４００から発せられた放送チャンネル切り替え操作信号が供給されると、選局制御部３００は当該放送チャンネル切り替え操作を認識し、この認識に応じた切り替え指令を選局部１０１，１０２，…，（１００＋ｎ）及び一時記憶管理部２００に向けて発する。
【００３２】
この指令を受けて、一時記憶管理部２００は当該放送チャンネル切り替え操作によって新たに選択された放送チャンネルに係るＴＳのデータ放送コンテンツ情報部分のデータブロックを一時記憶装置２１０から読み出す。このように一時記憶装置２１０から読み出したＴＳのデータ放送コンテンツ情報部分のデータブロックに基づいてユーザに対する放送サービスが行われるため、当該放送チャンネル切り替え操作が行われると、待機時間を挟むことなく、速やかに放送サービスの提供が開始される。
【００３３】
図１の実施の形態では、複数の選局部１０１，１０２，…，（１００＋ｎ）の選局処理によって得た出力たるＴＳのうち一のものを選択的に出力する出力選択部５００が設けられている。この選択部５００の一方の入力端には、複数の選局部１０１，１０２，…，（１００＋ｎ）のうちの所定の一の選局部たる第一選局部１０１での選局処理によって得た一のＴＳが直接的に供給される。
【００３４】
また、出力選択部５００の他方の入力端には、複数の選局部のうちの他の選局部１０２，…，（１００＋ｎ）の選局処理によって得た他の各ＴＳが一時記憶管理部２００の管理下で一時記憶装置２１０に一時的に記憶され、そこから選択的に読み出されて間接的に供給されるようになされている。
出力選択部５００は、上述のように、第一選局部１０１の出力として直接的に供給されたＴＳ又は第二乃至第ｎの選局部１０２，…，（１００＋ｎ）の出力であるＴＳが一旦一時記憶装置２１０に記憶された後に間接的に供給されたもの（ＴＳ）を選択的に出力する。
【００３５】
このようにして出力選択部５００から選択的に出力されるＴＳに基づいてユーザに対する放送サービスが行われるため、待機時間を挟むことなく、当該放送チャンネル切り替え操作が行われ、第一選局部１０１での選局状態が切り替わり、そのまま直ちには切り替え後の放送チャンネルに関する放送サービスの提供が行えない状況が発生しても、その直前の時点まで第二乃至第ｎの選局部１０２，…，（１００＋ｎ）の出力であるＴＳを一旦一時記憶装置２１０に記憶させた後に間接的に供給されるもののうち、当該切り替わり後の放送チャンネルに該当するＴＳを出力選択部５００から選択的に出力させて、見掛け上は、切り替わり後の放送サービスが速やかに提供され得る。
【００３６】
このような作用は、出力選択部５００において、第一選局部１０１からの一のＴＳが継続的に得られているときには一のＴＳを選択して自己の出力とし、一のＴＳの供給が途切れたときには一時記憶管理部２００の管理下で一時記憶装置２１０から間接的に供給されている他のＴＳを選択的に出力することによって営まれる。放送チャンネル切り替え操作によって、一のＴＳの供給が途切れたときには、これに替えて他のＴＳが直ちに出力選択部５００から出力されるため、放送チャンネル切り替え操作時にも放送サービスの提供が途切れてしまうことがない。
【００３７】
上述のように、見掛け上、切り替わり後の放送サービスを途切れることなく速やかに提供するために、放送チャンネル切り替え操作の直前の時点までの第二乃至第ｎの選局部１０２，…，（１００＋ｎ）の出力であるＴＳを、適宜の期間、一時記憶装置２１０に記憶しておき、機に応じての読み出し要求に適切に応じるべく備えておく。この場合、選択の対象として予定される放送チャンネルの数に選局部の数が満たないような簡素な構成であってもチャンネル切替によって選択されるコンテンツが速やかに映出され得る（即ち、該当するデータを一時記憶装置２１０に記憶して読み出しに備えておく）ようにするために、本発明の実施の形態では、次のような解決策を適用している。即ち、選局制御部３００は、複数の選局部のうちの第二乃至第ｎの選局部１０２，…，（１００＋ｎ）から巡回的に切り替え選択して各異なる放送チャンネルのコンテンツを一時記憶管理部２００の管理下で一時記憶装置２１０に記憶させる。選局制御部３００は、これに際して、上述のように放送チャンネルを巡回的に切り替え選択するための選択スケジュールが設定され得るように構成されている。
【００３８】
この選択スケジュールを適切に設定することによって、当該デジタル放送受信装置において設備された選局部の数が選択の対象として予定される放送チャンネルの数に満たない構成をとる場合であっても、このように放送チャンネルを巡回的に切り替えることによって、予定される放送チャンネルの全数に対応可能な装置が実現される。
次に、このような選択スケジュールの設定の事例について説明する。例えば、選局制御部３００に設定されるチャンネル巡回のスケジュールは、視聴者の一定期間に亘る受信時間の傾向に係る統計をとるなどして、受信時間の長いチャンネル順にランク付けを行い、次の表に例示するような複数の階層（この例では５層）に層別化を行う。
【００３９】
【表１】
2006262091.tif 000003
即ち、一回の平均視聴時間と一週間の視聴時間の長さの順位とに注目して、最も受信時間の長い階層をＬ１（定常視聴チャンネル）、これに次いで長い階層をＬ２（単発視聴チャンネル）、更にそれに次ぐ長さの階層をＬ３（非定常視聴チャンネル）、一応選局は可能だが殆ど選ぶことのない階層をＬ４（選局可能チャンネル）とし、チャンネルとしては存在するが契約していない等の理由で当該デジタル放送受信装置では受信されない階層をＬ５（非選局チャンネル）といったようにランク付けを行う。
【００４０】
これらランク付けした各階層について、階層Ｌ１は、巡回頻度を５分に一回として、毎回データ放送の蓄積を行う。階層Ｌ２は巡回頻度を５分に一回として、五回に一回のデータ放送の蓄積は行う。階層Ｌ３は５分に一回、階層Ｌ４は１５分に一回の巡回を行い、データ放送の蓄積は行わない。また、データ専用放送は、上位１０位のみを蓄積する。
このようなスケジュールで選局制御を行って、ＳＴを一時記憶管理部２００の管理下で一時記憶装置２１０に蓄積し、そこから選択的に読み出して、チャンネル切替時に出力することで、素早い視聴サービスの提供が出来る。
【００４１】
図２は、本発明の実施の形態における作用を従来例との比較において説明するための図である。図２（Ａ）は特許文献１において従来例とされた装置の作用を表す図であり、図２（Ｂ）は特許文献１に提案の装置の作用を表す図であり、図２（Ｃ）は、本発明の実施の形態における作用を表す図である。
各図において、「ＴＳ出力」と表記されたラインはＴＳによる映像と音声の再生状況の時間的推移を表し、実線部分が再生画面が映出されている期間、破線部分が映出が途切れている期間を表わしている。また「データ表示」と表記されたラインはデータ放送のデータによる情報の再生状況の時間的推移を表し、実線部分が表示が行われている期間、破線部分が表示が途切れている期間を表わしている。
【００４２】
図２（Ａ）の従来例では、チャンネル切り替え操作時点以降暫し映像が途切れる期間が継続し、この間にチャンネル切り替え後の放送チャンネルを映出するための準備動作を行い、この準備が整って以降に、映像サービスの提供が再開されることになる。データ放送のデータによる情報の再生状況については、映像が途切れる期間よりも長い期間に亘って放送サービスを提供できるに十分なだけの情報の蓄積を行って（即ち、非表示状態を継続して）、然る後データ放送が再開される。
【００４３】
図２（Ｂ）の特許文献１の装置では、当初第一選局部から出力されるＴＳに基づいて映像サービスの提供を行っていたところ、チャンネル切り替え操作時点以降はチャンネル切り替え後の放送チャンネルを選択していた選局部（この例では、第二選局部）の出力のＴＳに基づいて映像サービスの提供を行うように切り替え動作が行われる。但し、この特許文献１の装置ではチャンネル切り替え後の放送チャンネルを選択している選局部が必ず存在するとは限らず、無視できない確率でこのような問題が発生する惧れが払拭できない。
【００４４】
これらに対し、図２（Ｃ）の本実施の形態では、既述のように、当初第一選局部から出力されるＴＳに基づいて映像サービスの提供を行っていたところ、チャンネル切り替え操作時点以降はその直前の時点まで第二乃至第ｎの選局部１０２，…，（１００＋ｎ）の出力であるＴＳを一旦一時記憶装置２１０に記憶しておいたもののうち、当該切り替わり後の放送チャンネルに該当するＴＳを出力選択部５００から選択的に出力させて、見掛け上は、切り替わり後の放送サービスが速やかに提供され得る。
【００４５】
一時記憶装置２１０に記憶されたデータによって映像サービスの提供が見掛け上途切れることなく継続されつつ、この間にも、第一選局部１０１の出力に基づいて正規の（リアルタイムの）映像サービスを提供するための準備動作（所要データの蓄積）が続行されており、この準備が整って以降は、再び、第一選局部１０１の出力に基づいて正規の映像サービスが行われる。
【００４６】
また、データ放送に関しても、略同様に、チャンネル切り替え操作時点以降はその直前の時点まで第一乃至第ｎの選局部１０１，…，（１００＋ｎ）の出力であるデータ放送の情報を一時記憶装置２１０に蓄積しておいたもののうち、当該切り替わり後の放送チャンネルに該当する情報を一時記憶管理部２００の管理下で出力させて、見掛け上は、切り替わり後のデータ放送サービスが速やかに提供され得る（図中「蓄積表示」と表記された区間）。
【００４７】
一時記憶装置２１０に蓄積されたデータを出力している期間中、該当する放送チャンネルに係るデータコンテンツを出力するための準備動作を継続し、準備が整った時点で、そのデータコンテンツを出力する。
以上の通り、本発明の実施の形態によれば、データ放送もチャンネル切り替え後速やかに映出され、ブランク期間が発生してしまうことがなく、且つ、選択の対象として予定される放送チャンネルの数に選局部の数が満たないような簡素な構成であってもチャンネル切り替え後に該当するコンテンツが速やかに映出され得るデジタル放送受信装置を実現することができる。
【図面の簡単な説明】
【００４８】
【図１】本発明の実施の形態としてのデジタル放送受信装置の構成を表わすブロック図である。
【図２】本発明の実施の形態における作用を従来例との比較において説明するための図である。
【符号の説明】
【００４９】
１００（１０１，１０２，…，１００＋ｎ）…選局部  ２００…一時記憶管理部  ２１０…一時記憶装置  ３００…選局制御部  ３１０…タイマ  ４００…操作部  ５００…出力選択部
【図１】
2006262091.tif 000004
【図２】
2006262091.tif 000005